(57)【要約】      （修正有）【課題】ゴルフバッグ内に収容されるゴルフクラブを、シャフト保持部へ簡単に保持させることを可能にするゴルフクラブ用バッグを提供する。【解決手段】隣接するシャフト保持部３，３のシャフト出入口６，６の側縁どうしをシャフト案内部７で連接する。さらに、該シャフト案内部７は、非保持収容空間Ｓａに面する案内面７ａを、一方のシャフト保持部３又は両方のシャフト保持部３，３へ向かって行く程に、隣接するシャフト保持部３，３の停留空間４，４の中心どうしを結ぶ仮想直線Ｌと直交する交差方向Ｍに沿ってシャフト出入口６の側縁６ａへ向かう方向へ偏倚するように傾斜させてゴルフクラブ用バッグを構成する。【選択図】図１
0003160636.tif 000002
【実用新案登録請求の範囲】
【請求項１】
バッグ本体の内側の収容空間にゴルフクラブのシャフトを保持するための複数のシャフト保持部を設け、各シャフト保持部はシャフトを停留させるための停留空間と、口幅寸法を増減できる係止部を有するシャフト出入口とを備え、シャフト保持部を除く非保持収容空間へ収容したゴルフクラブのシャフトが、シャフト出入口の係止部を強制通過して停留空間へ出し入れできるゴルフクラブ用バッグにおいて、
隣接するシャフト保持部のシャフト出入口の側縁どうしをシャフト案内部で連接し、
該シャフト案内部は、非保持収容空間に面する案内面を、一方のシャフト保持部又は両方のシャフト保持部へ向かって行く程に、隣接するシャフト保持部の停留空間の中心どうしを結ぶ仮想直線と直交する交差方向に沿ってシャフト出入口の側縁へ向かう方向へ偏倚するように傾斜させてある
ことを特徴とするゴルフクラブ用バッグ。
【請求項２】
各シャフト保持部の停留空間及びシャフト出入口並びにシャフト案内部が、弾性のある板材で形成され、シャフトの前記強制通過による板材の弾性変形でシャフト出入口の係止部の前記口幅寸法を増減できるようにしてある請求項１記載のゴルフクラブ用バッグ。
【請求項３】
各シャフト保持部が、シャフト出入口を前記仮想直線に沿う方向に向かって開口させ、前記シャフト案内部が、他方のシャフト保持部のシャフト出入口における非保持収容空間に近い手前側の側縁と、一方のシャフト保持部のシャフト出入口における非保持収容空間から離れる奥側の側縁とを連接し、前記案内面を、一方のシャフト保持部へ向かって行く程に、前記交差方向に沿って奥側の側縁へ向かう方向へ偏倚するように傾斜させてある請求項１記載のゴルフクラブ用バッグ。
【請求項４】
前記シャフト保持部のシャフト出入口における非保持収容空間に近い手前側の側縁に、弾性のある素材で前記係止部が成形され、シャフトの前記強制通過による係止部の弾性変形で前記口幅寸法を増減できるようにしてある請求項３記載のゴルフクラブ用バッグ。
【請求項５】
各シャフト保持部におけるシャフト出入口の係止部を、前記口幅寸法が減少する突出方向へバネ付勢した出没自在の係止突起で形成してある請求項１又は３記載のゴルフクラブ用バッグ。
【考案の詳細な説明】
【技術分野】
【０００１】
本考案は、ゴルフバッグ内に収容されるゴルフクラブをシャフト保持部へ簡単に保持させることを可能にするゴルフクラブ用バッグに関する。
【背景技術】
【０００２】
一般的に、ウッド、アイアン、パター等からなる複数のゴルフクラブは、上部に開口部を有する筒状のゴルフクラブ用バッグ内に収容される。通常、ゴルフクラブ用バッグの内部には、クラブの種別管理や衝突回避のため、バッグ内を二等分もしくは三等分に区分けする仕切材が設置されている。
【０００３】
とこが、仕切材にて区分けられた各室にクラブを収容させた場合、クラブ間に多少のスペースが生じるため、ゴルフクラブ用バッグを移動する際、クラブ同士が接触して傷付いたり、クラブによりバッグの内壁を損傷したりするといった問題が発生した。
【０００４】
この問題を回避するために、複数のシャフト保持部を設けたゴルフクラブ用バッグが提案されている（特許文献１及び特許文献２）。各シャフト保持部は、停留空間と、口幅寸法を増減できる係止部を有するシャフト出入口とを備え、シャフト保持部を除く非保持収容空間へ収容したゴルフクラブのシャフトを、シャフト出入口の係止部を強制通過して停留空間へ出し入れできるようにしてある。
【先行技術文献】
【特許文献】
【０００５】
【特許文献１】特開２００８−８６６４７号公報
【特許文献２】実開平６−１７７６２号公報
【考案の概要】
【考案が解決しようとする課題】
【０００６】
しかし、ゴルフクラブ用バッグは、隣接するシャフト保持部どうしの間に大きな空間があるため、非保持収容空間へ収容したゴルフクラブのシャフトを、所望の停留空間へ保持させようとするシャフト保持部のシャフト出入口の手前へ持って行って押し込むのに手間を要する問題がある。
【０００７】
そこで、この問題解決のために、本考案は、非保持収容空間へ収容したゴルフクラブのシャフトを、保持させようとするシャフト保持部のシャフト出入口へ簡単に持って行くことができるゴルフクラブ用バッグの提供を目的とする。
【課題を解決するための手段】
【０００８】
ゴルフクラブのシャフトを保持させようとするシャフト保持部のシャフト出入口へ簡単に持って行くことができるようにするために請求項１記載の本考案が採用した手段は、図１，図５及び図６に示す如く、バッグ本体２の内側の収容空間ＳにゴルフクラブＫのシャフトＫａを保持するための複数（二個以上）のシャフト保持部３を設け、各シャフト保持部３はシャフトＫａを停留させるための停留空間４と、口幅寸法Ｗを増減できる係止部５を有するシャフト出入口６とを備え、シャフト保持部３を除く非保持収容空間Ｓａへ収容したゴルフクラブＫのシャフトＫａが、シャフト出入口６の係止部５を強制通過して停留空間へ出し入れできるゴルフクラブ用バッグにおいて、隣接するシャフト保持部３，３のシャフト出入口６，６の側縁どうしをシャフト案内部７で連接し、該シャフト案内部７は、非保持収容空間Ｓａに面する案内面７ａを、一方のシャフト保持部３（図５及び図６に示す場合）又は両方のシャフト保持部３，３（図１に示す場合）へ向かって行く程に、隣接するシャフト保持部３，３の停留空間４，４の中心どうしを結ぶ仮想直線Ｌと直交する交差方向Ｍに沿ってシャフト出入口６の側縁６ａへ向かう方向へ偏倚するように傾斜させてあることを特徴とするゴルフクラブ用バッグである。
【０００９】
係止部の構成を簡単にするために請求項２記載の本考案が採用した手段は、図１に示す如く、各シャフト保持部３の停留空間４及びシャフト出入口６並びにシャフト案内部７が、弾性のある板材Ｐで形成され、シャフトＫａの前記強制通過による板材Ｐの弾性変形でシャフト出入口６の係止部５の前記口幅寸法Ｗを増減できるようにしてある請求項１記載のゴルフクラブ用バッグである。
【００１０】
シャフト保持部の停留空間へのシャフトの押し込み操作がスムーズにできるようにするために請求項３記載の本考案が採用した手段は、図６に示す如く、各シャフト保持部３が、シャフト出入口６を前記仮想直線Ｌに沿う方向に向かって開口させ、前記シャフト案内部７が、他方（図６では右側）のシャフト保持部３のシャフト出入口６における非保持収容空間Ｓａに近い手前側の側縁６ａ−１と、一方（図６では左側）のシャフト保持部のシャフト出入口６における非保持収容空間Ｓａから離れる奥側の側縁６ａ−２とを連接し、前記案内面７ａを、一方のシャフト保持部３へ向かって行く程に、前記交差方向Ｍに沿って奥側の側縁６ａ−２へ向かう方向へ偏倚するように傾斜させてある請求項１記載のゴルフクラブ用バッグである。
【００１１】
係止部の構成を簡単にするために請求項４記載の本考案が採用した手段は、図６に示す如く、前記シャフト保持部３のシャフト出入口６における非保持収容空間Ｓａに近い手前側の側縁６ａ−１に、弾性のある素材で前記係止部５が成形され、シャフトＫａの前記強制通過による係止部５の弾性変形で前記口幅寸法Ｗを増減できるようにしてある請求項３記載のゴルフクラブ用バッグである。
【００１２】
外径寸法の異なる各種のシャフトに対応できるようにするために請求項５記載の本考案が採用した手段は、図３，図４，図５及び図７に示す如く、各シャフト保持部３におけるシャフト出入口６の係止部５を、前記口幅寸法Ｗが減少する突出方向へバネ付勢した出没自在の係止突起８で形成してある請求項１又は３記載のゴルフクラブ用バッグである。
【考案の効果】
【００１３】
請求項１記載の本考案に係るゴルフクラブ用バッグは、シャフト案内部の案内面にシヤフトを案内させつつ保持させようとするシャフト保持部へ向かって移動させることで、ゴルフクラブのシャフトをシャフト保持部のシャフト出入口へ確実に持って行くことが可能となり、シャフトの保持作業が迅速且つ簡単にできる。
【００１４】
請求項２記載の本考案に係るゴルフクラブ用バッグは、各シャフト保持部の停留空間及びシャフト出入口並びにシャフト案内部を形成する板材の弾性変形でシャフト出入口の係止部の口幅寸法を増減できるようにしてあるので、係止部の構成を簡単にすることができる。
【００１５】
請求項３記載の本考案に係るゴルフクラブ用バッグは、シャフトを案内面に案内させつつ一方のシャフト保持部へ向かって移動操作せることで、シャフト出入口に至らしめて停留空間へ押し込むことが可能となり、シャフト保持部の停留空間へのシャフトの押し込み操作がスムーズにできる。
【００１６】
請求項４記載の本考案に係るゴルフクラブ用バッグは、弾性のある素材で成形された係止部の弾性変形でシャフト出入口の係止部の口幅寸法を増減できるようにしてあるので、係止部の構成を簡単にすることができる。
【００１７】
請求項５記載の本考案に係るゴルフクラブ用バッグは、突出方向へバネ付勢した出没自在の係止突起で係止部を形成することで、シャフト出入口の口幅寸法の増減できる範囲を大きくすることが可能となり、外径寸法の異なる各種のシャフトに対応させることができる。
【図面の簡単な説明】
【００１８】
【図１】本考案に係るゴルフクラブ用バッグの第１の実施形態を示すものであって、図（Ａ）は主要部を示す平面図、図（Ｂ）は図（Ａ）の一点鎖線の枠イで囲まれた箇所の拡大した平面図である。
【図２】図１の図（Ａ）のＩＩ−ＩＩ線で断面した右側面図である。
【図３】本考案に係るゴルフクラブ用バッグの第２の実施形態を示すものであって、図（Ａ）は主要部を示す平面図、図（Ｂ）は図（Ａ）の一点鎖線の枠ロで囲まれた箇所の拡大した平面図、図（Ｃ）は図（Ｂ）のＣ−Ｃ線で断面した右側面図である。
【図４】第２の実施形態における係止部の別態様を示すものであつて、図（Ａ）は要部の部分断面した平面図、図（Ｂ）は図（Ａ）のＢ−Ｂ線で断面した右側面図である。
【図５】本考案に係るゴルフクラブ用バッグの第３の実施形態を示すものであって、図（Ａ）は主要部を示す平面図、図（Ｂ）は図（Ａ）の一点鎖線の枠ハで囲まれた箇所の拡大して部分断面した平面図、図（Ｃ）は図（Ａ）の一点鎖線ハで囲まれた箇所の別態様を拡大して部分断面した平面図である。
【図６】本考案に係るゴルフクラブ用バッグの第４の実施形態を示すものであって、図（Ａ）は主要部を示す平面図、図（Ｂ）は図（Ａ）の一点鎖線の枠ニで囲まれた箇所の拡大して部分断面した平面図である。
【図７】本考案に係るゴルフクラブ用バッグの第５の実施形態を示すものであって、要部の部分断面した平面図である。
【考案を実施するための形態】
【００１９】
（第１の実施の形態）
図１及び図２に示す第１の実施の形態に係るゴルフクラブ用バッグ１は、バッグ本体２の内側の収容空間Ｓに複数のシャフト保持部３を設け、各シャフト保持部３にゴルフクラブＫのシャフトＫａを保持させるようにしてある。バッグ本体２は、下方部分の合成樹脂製の底枠１０と上方部分の合成樹脂製の口枠１１と布又は革等からなる包囲体１２とを備え、底枠１０及び口枠１１を包囲体１２で接合したものであって、図示は省略したが、その他かにポケット、ショルダーベルト、携帯用握り部等を備えている。
【００２０】
前記複数のシャフト保持部３は、保持するゴルフクラブＫどうしを衝突させないように列状に配置されて二列のシャフト保持部群３Ａ，３Ｂを形成し、シャフト保持部群３Ａ，３Ｂを口枠１１に一体又は着脱自在に設けてある。各シャフト保持部３は、ゴルフクラブＫのシャフトＫａを停留させる停留空間４と、口幅寸法Ｗを増大又は減少できる係止部５，５を有するシャフト出入口６とを備え、シャフト保持部３を除く非保持収容空間（ゴルフクラブＫを保持させることなく単に出し入れ自在に収容するだけの空間）Ｓａへ収容したゴルフクラブＫの外径寸法ＤのシャフトＫａが、バッグ使用者の操作によりシャフト出入口６の係止部５を強制通過して停留空間４へ出し入れできるようにしてある。シャフト出入口６の係止部５，５は、強制通過するシャフトＫａで押し広げられて口幅寸法Ｗを増大させ、シャフトＫａの通過後に自動的に口幅寸法Ｗを減少させて、停留空間４に停留中のシャフトＫａを使用者が操作する以外は自然に抜け出させないようにしてある。
【００２１】
前記シャフト保持部群３Ａ，３Ｂの各々は、隣接するシャフト保持部３，３のシャフト出入口６，６の側縁６ａ，６ａどうしをシャフト案内部７で連接してある。該シャフト案内部７は、非保持収容空間Ｓａに面する案内面７ａを湾曲形成して、隣接する両方のシャフト保持部３，３へ向かって行く程に、隣接するシャフト保持部３，３の停留空間４，４の中心どうしを結ぶ仮想直線Ｌと直交する交差方向Ｍに沿ってシャフト出入口６の側縁６ａへ向かう方向へ偏倚するように傾斜させてある。シャフト保持部群３Ａ，３Ｂは、左右両側のシャフト保持部３，３の各々からシャフト案内部１７を延設させ、非保持収容空間Ｓａに面する案内面１７ａを湾曲形成して、シャフト保持部３へ向かって行く程に、仮想直線Ｌと直交する交差方向Ｍに沿ってシャフト出入口６の側縁６ａへ向かう方向へ偏倚するように傾斜させてある。
【００２２】
前記シャフト保持部群３Ａ，３Ｂは、各シャフト保持部３の停留空間４及びシャフト出入口６並びにシャフト案内部７，１７が、弾性のある合成樹脂製の板材Ｐで形成され、シャフトＫａの強制通過による板材Ｐの弾性変形でシャフト出入口６の係止部５，５の口幅寸法Ｗを増減できるようにしてある。更に、シャフト保持部群３Ａ，３Ｂは、板材Ｐを合成樹脂製等のバックアップ部材１４に接合して、板材Ｐの弾性変形する以外の全体形状を維持するようにしてある。シャフト保持部群３Ａ，３Ｂは、各シャフト保持部３の停留空間４及びシャフト出入口６並びにシャフト案内部７，１７を形成する合成樹脂製板材Ｐの弾性変形でシャフト出入口６の係止部５，５の口幅寸法Ｗを増減できるようにしてあるので、係止部５，５の構成を簡単にすることができる。なお、シャフト保持部群３Ａ，３Ｂは、板材Ｐとして弾性のある合成樹脂製を用いることなく鋼等の弾性の金属素材で心材を用いるときには（図示略）、心材を軟質の樹脂層等で被覆してシャフトＫａにスリ傷等を生じさせないようにするとよい。
【００２３】
ゴルフクラブ用バッグ１は、口枠１１に設けた前記シャフト保持部群３Ａ，３Ｂ及び仕切部材１５で、口枠１１の内側の収容空間Ｓを空間Ｓ−１，Ｓ−２，Ｓ−３の三つに区画してある。ゴルフクラブ用バッグ１は、シャフト保持部群３Ａ，３Ｂに面する空間Ｓ−１，Ｓ−２にアイアンクラブ、ピッチングウェッジ、サンドウェッジ等のクラブを収容して、シャフト保持部群３Ａ，３ＢにゴルフクラブＫのシャフトＫａを保持させることができるようにすると共に、残りの空間Ｓ−３にウッド、パター等のゴルフクラブＫを収容できるようにしてある。
【００２４】
ゴルフクラブ用バッグ１は、シャフト案内部７，１７の案内面７ａ，１７ａにシヤフトＫａを案内させつつ保持させるシャフト保持部３へ向かって移動させることで、ゴルフクラブＫのシャフトＫａをシャフト保持部３のシャフト出入口６へ確実に持って行き、シャフトＫａを係止部５，５の反発弾性力に抗して停留空間４へ押し込むことが可能となり、シャフトの保持作業が迅速且つ簡単にできる。
【００２５】
なお、ゴルフクラブ用バッグ１は、図示は省略したが、収容空間Ｓの空間Ｓ−３に面するシャフト保持部群を設け、シャフト保持部群のシャフト保持部３にウッド、パター等を保持させるようにすることも可能である。
【００２６】
（第２の実施の形態）
図３及び図４に示す第２の実施の形態に係るゴルフクラブ用バッグ２１は、各シャフト保持部３の停留空間４及びシャフト出入口６並びにシャフト案内部７，１７を合成樹脂素材等からなる剛性のある一枚の一体部材２２で成形すると共に、各シャフト保持部３におけるシャフト出入口６の係止部５，５を、口幅寸法Ｗが減少する突出方向へバネ付勢した出没自在の係止突起８で形成した点が、図１及び図２に示す第１の実施の形態に係るゴルフクラブ用バッグ１と相違し、この相違点以外の構成が第１の実施の形態に係るゴルフクラブ用バッグ１と実質的に同一である。
【００２７】
前記バネ付勢した係止部５，５の各々は、図３（Ｂ）に示す如く、シャフト出入口６へ出没自在で抜け出さない係止突起８と、係止突起８を突出方向へ付勢する圧縮バネ２３とを備えており、シャフトＫａが圧縮バネ２３の付勢力に抗してバッグ使用者の操作でシャフト出入口６を強制通過するときに、係止突起８を進退させて口幅寸法Ｗを増減できるようにしてある。係止突起８は、強制通過中に接触するシャフトＫａにスリ傷等を生じさせないように、合成樹脂素材で成形するとよい。
【００２８】
前記バネ付勢した係止部５，５の別態様としては、図４に示す如く、一枚のバネ板を折り曲げ加工等して成形したバネ部材２４からなり、一体部材２２の空間部２２ａに配置して根元側２４ｂを一体部材２２に保持させた片持ち状態とし、バネ部材２４の先端部２４ａでシャフト出入口６へ出没自在となる係止突起８を形成してある。バネ部材２４は、強制通過中に接触するシャフトＫａにスリ傷等を生じさせないように、弾性のある合成樹脂素材で成形するか、又はバネ鋼等の金属素材からなる心材を樹脂層で被覆して形成される。
【００２９】
ゴルフクラブ用バッグ２１は、突出方向へバネ付勢した出没自在の係止突起８又はバネ部材２４の先端部２４ａで係止部５，５を形成することで、シャフト出入口６の口幅寸法Ｗの増減できる範囲を、前記第１の実施の形態に比べて大きくすることが可能となり、外径寸法Ｄの異なる各種のシャフトＫａに対応させることができる。
【００３０】
（第３の実施の形態）
図５に示す第３の実施の形態に係るゴルフクラブ用バッグ３１は、前記第２の実施の形態（図３及び図４参照）と同様に、各シャフト保持部３の停留空間４及びシャフト出入口６並びにシャフト案内部７，１７を合成樹脂素材等からなる剛性のある一枚の一体部材３２で成形すると共に、各シャフト保持部３におけるシャフト出入口６の係止部５，５を、口幅寸法Ｗが減少する突出方向へバネ付勢した出没自在の係止突起８で形成し、更に、シャフト案内部７の非保持収容空間Ｓａに面する案内面７ａを、隣接するシャフト保持部３，３の一方（本例では左側のシャフト保持部３）へ向かって行く程に、仮想直線Ｌと直交する交差方向Ｍに沿ってシャフト出入口６の側縁６ａへ向かう方向へ偏倚するように傾斜させて直線状に形成した点が、前記第１の実施の形態（図１及び図２参照）に係るゴルフクラブ用バッグ１と相違し、この相違点以外の構成が第１の実施の形態に係るゴルフクラブ用バッグ１と実質的に同一である。
【００３１】
前記係止突起８は、図５（Ｂ）に示す如く、圧縮バネ２３で突出方向へ付勢する場合と、同図（Ｃ）に示す如く、一枚のバネ板を折り曲げ加工等で成形したバネ部材２４の先端部２４ａで形成する場合とがある。
【００３２】
（第４の実施の形態）
図６に示す第４の実施の形態に係るゴルフクラブ用バッグ４１は、前記第２の実施の形態（図３及び図４参照）と同様に、各シャフト保持部３の停留空間４及びシャフト出入口６並びにシャフト案内部７，１７を合成樹脂素材等からなる剛性のある一枚の一体部材４２で成形すると共に、各シャフト保持部３が、シャフト出入口６を前記仮想直線Ｌに沿う方向に向かって開口させ、シャフト案内部７が、他方（本例では右側）のシャフト保持部３のシャフト出入口６における非保持収容空間Ｓａに近い手前側の側縁６ａ−１（図６（Ｂ）参照）と、一方（本例では左側）のシャフト保持部のシャフト出入口６における非保持収容空間Ｓａから離れる奥側の側縁６ａ−２とを連接し、シャフト案内部７の非保持収容空間Ｓａに面する案内面７ａを、一方のシャフト保持部３へ向かって行く程に、前記交差方向Ｍに沿って奥側の側縁６ａ−２へ向かう方向へ偏倚するように傾斜させて直線状に形成した点が、前記第１の実施の形態（図１及び図２参照）に係るゴルフクラブ用バッグ１と相違し、この相違点以外の構成が第１の実施の形態に係るゴルフクラブ用バッグ１と実質的に同一である。
【００３３】
各シャフト保持部３は、非保持収容空間Ｓａに近い手前側の側縁６ａ−１に、薄肉で弾性変形し易く合成樹脂素材等で係止部５が成形され、シャフトＫａの強制通過による係止部５の弾性変形でシャフト出入口６の口幅寸法Ｗを増減できるようにして、係止部５の構成を簡単にしてある。
【００３４】
ゴルフクラブ用バッグ４１は、シャフトＫａを案内面７に案内させつつ一方（本例では左側）のシャフト保持部３へ向かって移動操作せることで、シャフト出入口６に至らしめてそのまま停留空間４へ押し込むことが可能となり、停留空間４へのシャフトＫａの押し込み操作がスムーズにできる。
【００３５】
（第５の実施の形態）
図７に示す第５の実施の形態に係るゴルフクラブ用バッグ５１は、係止部５の構成が前記第４の実施の形態（図６参照）と相違するだけで、この相違点以外の構成が第４の実施の形態に係るゴルフクラブ用バッグ４１と実質的に同一である。
【００３６】
ゴルフクラブ用バッグ５１の各シャフト保持部３におけるシャフト出入口６の係止部５は、前記口幅寸法Ｗが減少する突出方向へバネ付勢した出没自在の係止突起８で形成してある。バネ付勢した係止部５は、図中の左側に示す如く、シャフト出入口６へ出没自在で抜け出さない係止突起８と、係止突起８を突出方向へ付勢する圧縮バネ２３とを備えており、シャフトＫａが圧縮バネ２３の付勢力に抗してシャフト出入口６を強制通過するときに、係止突起８を進退させて口幅寸法Ｗを増減できるようにしてある。また、バネ付勢した係止部５の別態様としては、図中の右側に示す如く、一枚のバネ板を折り曲げ加工等して成形したバネ部材２４からなり、一体部材４２の空間部４２ａに配置して根元側２４ｂを一体部材２２に保持させた片持ち状態とし、バネ部材２４の先端部２４ａでシャフト出入口６へ出没自在となる係止突起８を形成してある。
【００３７】
ゴルフクラブ用バッグ５１は、突出方向へバネ付勢した出没自在の係止突起８で係止部５を形成することで、シャフト出入口６の口幅寸法Ｗの増減できる範囲を大きくすることが可能となり、外径寸法Ｄの異なる各種のシャフトＫａに対応させることができる。
【符号の説明】
【００３８】
１（２１，３１，４１，５１）…ゴルフクラブ用バッグ、２…バッグ本体、３…シャフト保持部、３Ａ…シャフト保持部群、３Ｂ…シャフト保持部群、４…停留空間、５…係止部、６…シャフト出入口、６ａ…側縁、６ａ−１…手前側の側縁、６ａ−２…奥側の側縁、７…シャフト案内部、７ａ…案内面、８…係止突起、１０…底枠、１１…口枠、１２…包囲体、１４…バックアップ部材、１５…仕切部材、１７…延長させたシャフト案内部、１７ａ…案内面、２２…一体部材、２２ａ…空間部、２３…圧縮バネ、２４…バネ部材、２４ａ…先端部、２４ｂ…根元側、３２…一体部材、４２…一体部材、Ｄ…シャフトの外径寸法、Ｋ…ゴルフクラブ、Ｋａ…シャフト、Ｌ…仮想直線、Ｍ…交差方向、Ｐ…板材、Ｓ…収容空間、Ｓａ…非保持収容空間、Ｗ…口幅寸法
【図１】
0003160636.tif 000003
【図２】
0003160636.tif 000004
【図３】
0003160636.tif 000005
【図４】
0003160636.tif 000006
【図５】
0003160636.tif 000007
【図６】
0003160636.tif 000008
【図７】
0003160636.tif 000009